(57)【特許請求の範囲】
【請求項１】
縦方向及び横方向と、肌当接面及び非肌当接面と、前ウエスト域と、後ウエスト域と、前記前後ウエスト域間に位置する股下域とを有し、ウエスト開口縁と一対のレッグ開口縁とを有するシャーシと、
前記シャーシの前記肌当接面側に配置されていて、前記股下域を中心として前記前後ウエスト域へ延び、吸液性コアを含む吸液性構造体と、
前記前後ウエスト域において、前記横方向へ伸長下に延びる複数条のウエスト弾性部材とから構成された使い捨ておむつであって、
前記ウエスト弾性部材が、前記ウエスト開口の近傍において前記横方向へ延びる第１ウエスト弾性部材と、前記レッグ開口縁と前記第１ウエスト弾性部材との間に位置し、前記前後ウエスト域の両側部において前記横方向へ延び、前記前後ウエスト域の中央域には延在していない第２ウエスト弾性部材とから構成されており、
前記前ウエスト域における前記第２ウエスト弾性部材が、前記前ウエスト域の側縁から前記吸液性コアの側縁をその内側へ越えて前記横方向へ延びており、前記後ウエスト域における前記第２ウエスト弾性部材が、前記後ウエスト域の側縁から前記吸液性コアの側縁と交差することなく、前記吸液性コアの側縁の近傍へ延びていることを特徴とするおむつ。
【請求項２】
前記前ウエスト域における前記第２ウエスト弾性部材の内端部と前記吸液性コアの側縁との間の前記横方向における寸法が、前記吸液性コアの横方向の寸法の１０〜３０％であり、前記後ウエスト域における前記第２ウエスト弾性部材と前記吸液性構造体の側縁との間の前記横方向における寸法が、前記吸液性構造体の横方向の寸法の１０％以下である請求項１に記載のおむつ。
【請求項３】
前記吸液性コアの後端縁が、前記後ウエスト域において前記第２ウエスト弾性部材が延在していない前記中央域において、前記第１ウエスト弾性部材の最も前記後端縁寄りの部位から離間して位置している請求項１又は２に記載のおむつ。
【請求項４】
前記シャーシが、前記第２ウエスト弾性部材の非肌当接面側に位置するシートを含み、前記第２ウエスト弾性部材の内端部が、前記シートに固着されている請求項１〜３のいずれかに記載のおむつ。
【請求項５】
前記シートが透湿性のプラスチックフィルムから形成されており、その厚さが０．０１５〜０．０５ｍｍである請求項４に記載のおむつ。
【発明の詳細な説明】
【技術分野】
【０００１】
この発明は、使い捨ておむつ、特に、体液吸収性能を低下させることなく、体液の横漏れを防止するとともに、排便により着用者の身体が妄りに汚れることがない使い捨ておむつに関する。
【背景技術】
【０００２】
着用者の身体へのフィット性を向上させるために、前後ウエスト域において、ウエスト方向へ延びる複数条のウエスト用弾性部材を有する使い捨ておむつは一般的に知られている。例えば、特許文献１は、股下域からウエスト域へ延びる吸収体を備え、ウエスト域における幅方向の端部から少なくとも吸収体の外側縁に至る部分に、横方向へ延びる複数条のウエスト用弾性伸縮部材が配設されている紙おむつを開示する。
【特許文献１】特開２００２−２４８１２７号公報
【発明の開示】
【発明が解決しようとする課題】
【０００３】
特許文献１に開示された発明におけるウエスト弾性部材は、前後ウエスト域のウエスト開口縁部をウエスト方向へ延びる複数条のウエスト弾性部材と、前後ウエスト部の側縁部から吸収体の側縁部に延びる弾性伸縮性部材とが配設されている。これにより、ウエスト弾性部材の伸長応力が吸収体の側縁部に作用し、吸収体の着用者へのフィット性の向上が図られている。
【０００４】
しかし、このように、前ウエスト域と同様に、後ウエスト域においても吸収体の側縁部がウエスト弾性部材の伸長応力によって身体に密着すると、身体と吸収体との間に隙間が形成されにくくなり、排泄された便を拡散させることなく保持するためのスペースが十分に確保されず、排便が臀部に接触し、肌を汚したり、かぶれの原因ともなっていた。
【０００５】
そこで、この発明は、前ウエスト域においては、吸液性コアの体液吸収性能を低下させない限度において、体液の横漏れ防止のために吸液性コアの身体への密着を実現させるとともに、後ウエスト域においては、臀部と体液吸収性体との間に排泄された便を拡散させることなく、保持するためのスペースを形成することが可能な使い捨ておむつを提供することを課題としている。
【課題を解決するための手段】
【０００６】
前記課題を解決するために、この発明が対象とするのは、縦方向及び横方向と、肌当接面及び非肌当接面と、前ウエスト域と、後ウエスト域と、前記前後ウエスト域間に位置する股下域とを有し、ウエスト開口縁と一対のレッグ開口縁とを有するシャーシと、前記シャーシの前記肌当接面側に配置されていて、前記股下域を中心として前記前後ウエスト域へ延び、吸液性コアを含む吸液性構造体と、前記前後ウエスト域において、前記横方向へ伸長下に延びる複数条のウエスト弾性部材とから構成された使い捨ておむつである。
【０００７】
この発明の特徴とするところは、前記ウエスト弾性部材が、前記ウエスト開口の近傍において前記横方向へ延びる第１ウエスト弾性部材と、前記レッグ開口縁と前記第１ウエスト弾性部材との間に位置し、前記前後ウエスト域の両側部において前記横方向へ延び、前記前後ウエスト域の中央域には延在していない第２ウエスト弾性部材とから構成されており、
前記前ウエスト域における前記第２ウエスト弾性部材が、前記前ウエスト域の側縁から前記吸液性コアの側縁をその内側へ越えて前記横方向へ延びており、前記後ウエスト域における前記第２ウエスト弾性部材が、前記後ウエスト域の側縁から前記吸液性コアの側縁と交差することなく、前記吸液性コアの側縁の近傍へ延びていること、である。
【０００８】
この発明は、前記特徴を有する構成のほかに、以下の好ましい実施の態様を含む。
（１）前記前ウエスト域における前記第２ウエスト弾性部材の内端部と前記吸液性コアの側縁との間の前記横方向における寸法が、前記吸液性コアの横方向の寸法の１０〜３０％であり、前記後ウエスト域における前記第２ウエスト弾性部材と前記吸液性構造体の側縁との間の前記横方向における寸法が、前記吸液性構造体の横方向の寸法の１０％以下である。
（２）前記吸液性コアの後端縁が、前記後ウエスト域において前記第２ウエスト弾性部材が延在していない前記中央域において、前記第１ウエスト弾性部材の最も前記後端縁寄りの部位から離間して位置している。
（３）前記シャーシが、前記第２ウエスト弾性部材の非肌当接面側に位置するシートを含み、前記第２ウエスト弾性部材の内端部が、前記シートに固着されている。
（４）前記シートが透湿性のプラスチックフィルムから形成されており、その厚さが０．０１５〜０．０５ｍｍである。
【発明の効果】
【０００９】
この発明では、第２ウエスト弾性部材が、前ウエスト域において、その側縁部から吸液性構造体の側縁と交差して、吸液性コアの側縁部に延び、一方、後ウエスト域においては、その側縁部から吸液性構造体の側縁の外側へ延びており、吸液性コアには到達していない。これにより、前ウエスト域では、吸液性コアの体液吸収性能が阻害されない限度において、第２ウエスト弾性部材の伸長応力が吸液性コアに作用し、着用者の身体への密着が図られ、体液の漏れが防止されているとともに、後ウエスト域では、第２ウエスト弾性部材の伸長応力が吸液性構造体に対して直接的に作用して肌へ過度に密着させるということがないので、身体と体液吸収体との間に排泄された便を拡散させることなく保持するための十分なスペースが形成され、優れた尿便保持性能を発揮することができる。
【発明を実施するための最良の形態】
【００１０】
図１〜４にこの発明の第１実施形態を示している。図１は、使い捨ておむつの着用状態を示す部分破断斜視図である。図１では、おむつ１０が着用されたときの状態を示し、縦方向がＸ、横方向がＹで示されている。
【００１１】
図１に示されているように、おむつ１０は、胴周りを被覆するシャーシ１１と、シャーシ１１の内側、すなわちシャーシ１１の肌当接面側に取り付けられ、縦方向Ｘへ延びる液吸収性の吸液性構造体１２とから構成されており、前ウエスト域１３と、後ウエスト域１４と、これら両域間に延びる股下域１５とを有する。前後ウエスト域１３，１４は、上側弾性域１８と、下側弾性域１９Ａ，１９Ｂと、下側弾性域１９Ａ，１９Ｂ間に位置する非伸縮域３０とに区分されている。上側弾性域１８には、ウエスト開口縁部１６ａに沿って横方向Ｙへ延びる複数条の第１ウエスト弾性部材３１が配設されており、下側弾性域１９Ａ，１９Ｂには前後ウエスト域１３，１４の両側部２０を横方向Ｙへ延びる複数条の第２ウエスト弾性部材３２が配設されている。
【００１２】
図２は、おむつ１０をシーム部２６において上下に剥離し、縦方向Ｘと横方向Ｙとに伸展したときの展開平面図、図３は、シャーシ１１と吸液性構造体１２とを分離した、おむつ１０の分解斜視図である。
【００１３】
シャーシ１１は、前ウエスト域１３を含むほぼ台形状の前方部材２１と、後ウエスト域１４を含むほぼ台形状の後方部材２２と、前方部材２１と後方部材２３との間に位置し、股下域１５を形成する矩形の中間部材２３とから構成されており、それら前方部材２１、中間部材２３、後方部材２２が縦方向Ｘへ並べられ、接合部１２１，１２２において互いに連結されていることによって、全体としてほぼ砂時計形状を有している。前方部材２１及び後方部材２３は、それらの両側縁部２４，２５が互いに重ね合わせられ、縦方向Ｘへ間欠的に並ぶシーム部２６において、公知の接合手段、例えば、ホットメルト接着剤や熱エンボス加工、ソニックによる熱溶着手段で接合されることにより連結され、ウエスト開口１６と、一対のレッグ開口１７とが画成されている（図１参照）。
【００１４】
前方部材２１、中間部材２３および後方部材２２は、肌当接面側に位置する透液性の内層シート２７と、非肌当接面側に位置する不透液性の外層シート２８とを接合することによって形成されている。内層シート２７と外層シート２８とは、何れも通気性の繊維不織布から形成されている。外層シート２８は、縦方向Ｘにおいて、内層シート２７の前後端縁からそれぞれ延出し、シャーシ１１の内側に吸液性構造体１２が取り付けられた後に、吸液性構造体１２の前後端縁１２ａ，１２ｂを上側から覆うように吸液性構造体１２側へ折り返され、両側縁部２４，２５において接合されている。このように、外層シートの延出部２９が吸液性構造体１２の前後端縁１２ａ，１２ｂを上側から覆っているので、吸液性構造体１２に吸収されなかった体液が前後端縁１２ａ，１２ｂから漏出した場合であっても、延出部２９が防漏壁となり、体液が外部へ漏出することを防ぐことができる。
【００１５】
内層シート２７と外層シート２８との間には、第１ウエスト弾性部材３１と、第２ウエスト弾性部材３２と、脚周りの上下端縁１７ａ，１７ｂ沿いに延びる複数条のレッグ弾性部材３３とが介在されており、これら弾性部材３１，３２，３３は、両シート２７，２８間のうちの少なくとも内層シート２７にホットメルト接着剤（図示せず）を介して伸長下に取り付けられている。シャーシ１１には、これら弾性部材３１，３２，３３が収縮することによって複数のギャザー３４が生じている（図１参照）。
【００１６】
吸液性構造体１２は、ほぼ略矩形を有し、透液性の内面シート４１と、不透液性の外面シート４２と、これら両シート間に介在する液吸収性の芯材４３とを含んでいる。内面シート４１と外面シート４２とは、ほぼ矩形に形成された芯材４３の周縁から延出して重なり合いホットメルト接着剤（図示せず）を介して互いに接合され、シャーシ１１の前端縁と対向する前端縁１２ａ、シャーシ１１の後端縁と対向する後端縁１２ｂ、前後端縁１２ａ，１２ｂ間を縦方向Ｘに延びる両側縁部１２ｃとが形成されている。前端縁１２ａと後端縁１２ｂとは、それぞれ前方部材２１の内層シート２７と後方部材２２の内層シート２７とに、ホットメルト接着剤（図示せず）を介して接合されている。
【００１７】
芯材４３は、フラッフパルプと、高吸収性ポリマーと、必要に応じて熱溶着性ステープル繊維との混合等からなる矩形に形成された吸液性コア４４がティッシュペーパ等の液拡散性の保形シート４５で被覆されて形成されている。外面シート４２と芯材４３との間には、不透液性かつ透湿性のプラスチックフィルムで形成された液バリアシート４６が介在している。液バリアシート４６は、芯材４３の底面に位置する大きさであればよいが、充分な防漏効果を発揮するためには、底面全体を被覆する大きさを有することが好ましい。
【００１８】
吸液性構造体１２の両側縁１２ｃには、不透液性のシートから形成された、縦方向Ｘへ延びる一対のバリアカフ５１が取り付けられている。バリアカフ５１は、吸液性構造体１２の側縁１２ｃとシャーシ１１との間に、かつ、レッグ弾性部材３３の内端部と交差して固着された固定部５２と、吸液性コア４４側へ倒伏している自由部５３とを有し、自由部の内面には縦方向Ｘへ延びる少なくとも１本の弾性部材５４が取り付けられている。おむつ１０の着用状態においては、弾性部材５４が伸長し、その収縮によって自由部５２が内面シート４１から上方へ離間し、吸液性構造体１２の両側縁１２ｃの全体を被覆して排泄物の横漏れを防止することができる。また、弾性伸縮部材５４は、股下域１５において縦方向Ｘへ延びているので、レッグ開口１７の上下端縁１７ａ，１７ｂ沿いに延びるレッグ弾性部材３３と協働して、レッグ開口１７の周縁部において、仮想の環状に延びる弾性領域を形成している。このように、着用者の脚回り（図示せず）は、仮想の環状に延びる弾性領域で囲堯されているので、脚周りにおいて排泄物が外部へ漏出しにくくなっている。
【００１９】
図４（ａ）は、図２のおむつ１０の展開平面図における、前方部材２１の一部拡大図である。図４では、説明の便宜上、内層シート２７、液バリアシート４６、保形シート４５及び内面シート４１は、省略されている。
【００２０】
図４（ａ）に示されているとおり、第２ウエスト弾性部材３２は、側縁部２４から吸液性構造体１２側へ延び、吸液性構造体１２の側縁１２ｃを内方へわずかに越えて、コア４４の側縁部４４ｃまで延びている。このように第２ウエスト弾性部材３２がコア４４の側縁部４４ｃまで延び、コア４４の中央域４４ｄには延在していないので、コア４４全体が、第２ウエスト弾性部材３２の収縮による影響を極力抑制しつつ、コア４４の有する体液吸収性能が保持されたまま、吸液性構造体１２を着用者の身体にフィットさせることができる。
【００２１】
すなわち、第２ウエスト弾性部材３２が吸液性構造体１２を横切って横方向Ｙへ伸長下に延びていると仮定すれば、第２ウエスト弾性部材３２の収縮による影響を受け、コア４４全体に皺が寄り、コア４４の体液吸収性能が低減するおそれがある。一方、第２ウエスト弾性部材３２が前後ウエスト域１３，１４の両側部２４，２５から吸液性構造体１２の側縁１２ｃまで延びず、コア４４上に延在しない場合には、第２ウエスト弾性部材３２の伸長応力が吸液性構造体１２に対して過度に作用することはなく、コア４４に皺が寄ることはない。
【００２２】
しかし、吸液性構造体１２が前後端縁１２ａ，１２ｂでのみシャーシ１１の内面に接合され、第２弾性部材３２の伸長応力が吸液性構造体１２に付与されない場合には、着用者が前屈した際に、腹部とともに吸液性構造体１２が前方へ押し上げられ、吸液性構造体１２が所望の位置からずり上がってしまうおそれがある。このような吸液性構造体１２の位置ずれを防止するために、吸液性構造体１２の肌非当接面側に位置する、シャーシ１１との当接面における広い範囲に接着剤を塗工することも考えられるが、その場合には、おむつ１０全体の透湿性が損なわれ、おむつ内部に蒸れを生じるので、衛生上好ましくない。
【００２３】
そこで、前ウエスト域１３では、コア４４の体液吸収性能を阻害しない程度に、第２ウエスト弾性部材３２が吸液性コア４４の側縁部４４ｃまで延びており、その中央域４４ｄには第２ウエスト弾性部材３２が延在していない。このようにコア４４の中央域４４ｄは第２ウエスト弾性部材３２の収縮による影響を受けないので、その収縮によって中央域４４ｄに皺が生じにくくなって、コア４４の吸液性機能の低下が抑制されるとともに、側縁部４４ｃが第２ウエスト弾性部材３２の伸長応力によって身体に密着するので、吸液性構造体１２が位置ずれも併せて抑制されることとなる。
【００２４】
このような作用効果を奏するためには、コア４４の側縁と第２ウエスト弾性部材の内端部３８との横方向Ｙの離間寸法Ｌ１が、吸液性コア４４の横方向Ｙの寸法Ｌ２の１０〜３０％であることが好ましい。離間寸法Ｌ１が吸液性コア４４の横方向Ｙの寸法Ｌ２の３０％以上の場合には、コア４４に第２ウエスト弾性部材３２の収縮の影響による皺が比較的に広範囲に生じるので、コア４４の体液吸収性能が阻害され、液漏れを生じるおそれがある。離間寸法Ｌ１が、吸液性構造体１２の横方向Ｙの寸法Ｌ２の１０％未満の場合には、第２ウエスト弾性部材３２の伸長応力が吸液性構造体１２を身体に密着させるほどに付与されず、吸液性構造体１２と着用者の身体との間に隙間が生じ、隙間から体液が外部へ漏出するおそれがある。
【００２５】
図４（ｂ）は、図２のおむつ１０の展開平面図における、後方部材２２の一部拡大図であって、図４（ａ）と同様に、説明の便宜上、内層シート２７、液バリアシート、保形シート４５及び内面シート４１とは、省略されている。
【００２６】
図４（ｂ）に示されているとおり、第２ウエスト弾性部材３２は、後方部材２２の側縁部２５から吸液性構造体１２の側縁１２ｃの横方向の外側近傍にまで延びている。このように、前方部材２１とは異なり、後方部材２２では、第２ウエスト弾性部材３２が吸液性構造体１２の上にまで延びていないので、吸液性構造体１２が第２ウエスト弾性部材３２の収縮による影響が極力抑制されており、吸液性構造体１２と着用者の臀部との間に、排泄された便を拡散させることなく保持するための空間を形成することができる。
【００２７】
すなわち、前ウエスト域１３と同様に、後ウエスト域１４においても、第２ウエスト弾性部材３２が吸液性構造体１２の側縁１２ｃよりも横方向Ｙの内側へ延びていると仮定した場合には、吸液性構造体１２全体が着用者の臀部に密着し、排泄された便を保持するための空間が形成されにくくなるので、排泄された便が吸液性構造体１２と臀部との間で挟圧されて、臀部が便で汚れたり、便が外部へ漏れ出るおそれがある。しかし、後ウエスト域１４では、第２ウエスト弾性部材３２の収縮の影響が極力抑制されるので、吸液性構造体１２が着用者の臀部へ過度に密着することはなく、臀部と吸液性構造体１２との間に適度な大きさの空間が形成され、その空間に排泄された便を保持することができる。また、後ウエスト域１４においても、コア４４の中央域４４ｄには第２ウエスト弾性部材３２は配設されていないので、コア４４の体液吸収性機能が低下するおそれはない。
【００２８】
後ウエスト域１４では、第２ウエスト弾性部材３２の内端部３８と吸液性構造体１２の側縁１１２との横方向Ｙにおける離間寸法Ｄ１が、吸液性構造体１２の横方向Ｙの寸法Ｗの１０％未満であることが好ましい。離間寸法Ｄ１が吸液性構造体１２の横方向Ｙの寸法Ｗの１０％以上である場合には、吸液性構造体１２の身体へのフィット性が著しく低下し、吸液性構造体１２と臀部と間に形成される空間が比較的に大きなものとなるので、排泄物が外部へ漏出するおそれがあるからである。
【００２９】
第２ウエスト弾性部材３２は、予め所与寸法に伸長させた弾性伸縮部材を前後方部材２１，２２の両側部２０に配設させることによって形成することもできるが、第２ウエスト弾性部材３２を横方向Ｙへ伸長下に固定した後、前後ウエスト域１３，１４の中央近傍の所望の範囲（少なくともコア４４の中央域４４ｄと対向する範囲）にある第２ウエスト弾性部材３２の一部を取り除くか、または、その所望の範囲を内層シート２７に固着しない非固着域とし、その一部を切断することによって、スナップバック（弾性部材のうちのシートに固着されていない非固着域が、自らの収縮によりシートに固着されている接合端部近傍まで戻ること）させて、形成することもできる。一般に、使い捨ておむつの製造工程においては、シート部材、弾性部材等の構成部材を一定の方向へ流して順番に重ねていき配設していくので、後記形成方法が好ましい。
【００３０】
前後ウエスト域１３，１４の下側弾性域１９Ａ，１９Ｂ間において、第２ウエスト弾性部材３２が延在していない非伸縮域３０は、コア４４に対向する範囲のみならず、吸液性構造体１２の前後端縁１２ａ，１２ｂの縦方向Ｘの外方に及んでいる。前述のとおり、後方部材２３のみならず前方部材２１においても、コア４４の中央域４４ｄの体液吸収性能を低下させないために、その中央域４４ｄにできるだけ第２ウエスト弾性部材３２の伸長応力が作用されにくくすることが必要である。したがって、このように前後端縁１２ａ，１２ｂの縦方向Ｘの外方にある第２ウエスト弾性部材３２が除去、切断されている場合には、前後端縁１２ａ，１２ｂは、縦方向Ｘにおいて最も近接する弾性部材（図４（ａ）及び（ｂ）では、第１ウエスト弾性部材の最下に位置する弾性部材３１ａ）と所与寸法離間するので、第２ウエスト弾性部材３２の収縮による影響を抑制することができる。また、吸液性構造体１２の後端縁１２ｂと弾性部材３１ａとの離間寸法Ｄ２が、第２ウエスト弾性部材３２の内端部３８と吸液性構造体１２の側縁１２ｃとの横方向Ｙにおける離間寸法Ｄ１と同等であるか、若しくはそれ以上であることが好ましい。この場合には、吸液性構造体１２の後端縁１２ｂの周縁に所要の大きさを有する非伸縮領域が形成され、便を確実に保持することが可能となるからである。
【００３１】
図５は、この発明の第２実施形態のおむつ１０の展開状態を示す部分破断展開図である。第２実施形態のおむつ１０は、図１〜４に示された、第１実施形態と基本的構成においてほぼ同一であるので、説明の重複を避けるため、第１実施形態と相違する点についてのみ述べる。
【００３２】
図５では、略矩形の透湿性の固定用シート７０が、吸液性構造体１２の前後端縁１２ａ，１２ｂと対向する位置において、内層シート２７と外層シート２８との間に介在しており、少なくとも内層シート２７の内面に接合されている。内外層シート２７，２８間に介在されている第２ウエスト弾性部材３２の内端部３８及びその近傍は、内層シート２７と固定用シート７０との間に位置し、両シート２７，７０に固着されている。
【００３３】
一般に、弾性部材をシート部材に固着するためには、ホットメルト接着剤等の公知の接着剤が用いられるが、第２ウエスト弾性部材３２のように、伸長下で延在された弾性部材の端部をシート部材に接合する場合は、おむつの製造過程またはおむつの着用中における弾性部材自体のゴム抜けを防止するために、接合端部及びその近傍には、他の接合領域よりも多量の接着剤を塗布する必要がある。ゴム抜けのため多量の接着剤が塗布された部位は硬化し、繊維不織布としての風合いを損ねるばかりでなく、着用者に違和感を与えるおそれがあった。また、外層シート２８の外面に図柄や模様を印刷して意匠的装飾を施していた場合には、接着剤が多量に塗布されている部位が外部から透視され、その意匠形態に少なからず影響を与えていた。
【００３４】
しかし、本実施形態では、固定用シート７０が、第２ウエスト弾性部材３２の接合端部である内端部３８を内層シート２７とともに上下側から挟み込むように内外層シート２７，２８間に介在しているので、たとえ、内端部３８に多量の接着剤が塗布されたとしても、外面シート２８の一部が硬化することはなく、その風合いを損ねるおそれはない。また、おむつ１０の製造過程において、固定用シート７０が配置されている領域は他の領域に比してシートの厚みが増し、剛性が高くなるので、より効率的にプレス圧をかけることができ、内端３８およびその近傍を内面シート２７と固定用シート７０との間により強固に固着することができる。このように内端３８およびその近傍をより強固に固着することができれば、使用する接着剤の量を減らすことができる。
【００３５】
固定用シート７０は、透湿性のプラスチックフィルムや不織布から作られており、その厚さは、０．０１５〜０．０５ｍｍであることが好ましい。固定用シート７０は、少なくとも第２ウエスト弾性部材３２の内端部３８およびその周縁１〜２０ｍｍ以上の範囲を被覆する大きさを有するものであればよく、また、図示されているような略矩形状ではなく、円形状、多角形状等の各種形状を採用することができる。
【００３６】
固定用シート７０は、第２ウエスト弾性部材３２の内端部３８およびその近傍を上下側から挟持するように内外層シート２７，２８間に介在した、２枚のシートから形成されるものであってもよい。固定用シート７０が上下２枚のシートから形成されている場合には、内端部３８及びその近傍を固着するための接着剤は上下の固定用シート７０間に塗布されるので、内層シート２７および外層シート２８の一部が接着剤により硬化することはない。
【００３７】
さらに、固定用シート７０には、印刷加工等によって、外部から透視可能な絵柄や図案化された模様からなる意匠的装飾が施されていてもよい。
【００３８】
第１及び第２ウエスト弾性部材３１，３２と、脚周り弾性部材３３と、弾性伸縮部材５４は、糸状または帯状の天然又は合成ゴムから作られている。また、第２ウエスト弾性部材３２は、伸長率８０％での伸長応力が、０．５〜２．５Ｎ／２５ｍｍであることが好ましい。
【００３９】
第２ウエスト弾性部材３２の伸長応力は下記の方法で測定する。
【００４０】
まず、おむつを図２のように展開した状態にして第２ウエスト弾性部材３２を伸長させ、おむつ１０から伸長状態にある第２ウエスト弾性部材３２を約２５ｍｍ幅に切り取ってサンプルとし、その長さを最大伸長時の長さとする。次に、採取したサンプルを測定片として引張試験機のチャックに装填し、移動速度１００ｍｍ／ｍｉｎ、反転距離をサンプルの測定片の最大伸長時の９０％の長さにした１サイクル試験を行い、測定片の最大伸長時の８０％の長さになる点の反転後の応力を測定して求める。このとき、チャック間の距離はサンプルの測定片に応じて適宜変更する必要があり、また、２５ｍｍ幅でサンプルの測定片の採取が不可能な場合には、任意の幅で測定を行い、２５ｍｍ幅に換算して伸長応力を求める。
【００４１】
前後ウエスト域１３，１４における第２ウエスト弾性部材３２どうしの離間間隔および本数は、その所要の伸長応力に応じて適宜定めることができるが、前ウエスト域１３における第２ウエスト弾性部材３２全体の伸長応力、すなわち、下側弾性域１９Ａ，１９Ｂの伸長応力が、上側弾性域１８の伸長応力よりも大きいことが好ましい。前ウエスト域１３においては、吸液性構造体１２を身体にしっかりと密着させて尿漏れを防止する必要があり、一方、後ウエスト域１４においては、便を保持するための適当な空間を形成し、かつ、便漏れが生じない程度のフィット性があれば足りるからである。このように下側弾性域１９Ａ，１９Ｂの伸長応力を上側弾性域１８の伸長応力よりも大きくするためには、いうまでもなく、同じ伸長応力を有する弾性部材を前ウエスト域１３に後ウエスト域１４よりも多く配設したり、また、配設される弾性部材が同数本の場合には、後ウエスト域１４に配設される弾性部材として、前ウエスト域１３に配設される弾性部材よりも伸長応力の大きな弾性部材を用いることができる。
【００４２】
内外層シート２７，２８、内外面シート４１，４２、吸液性構造体１２を形成する各部材、各弾性部材３１，３２，３３，５４などのこの発明を構成する材料としては、この種の使い捨ておむつに慣用されている各種材料を制限なく用いることができる。また、おむつ１０は、シャーシ１１の前方部材２１、中間部材２３が連結シートから形成されていてもよいし、中間部材２３が存在せず、前方部材２１と後方部材２２とからなるものであってもよい。さらにまた、図示例では、前後ウエスト域の両側縁部が連結されたパンツ型使い捨ておむつを示したが、この発明は、前記側縁部が連結されていないオープン型のものに適用しても有効であり、パンツ型のものに限定されない。
【図面の簡単な説明】
【００４３】
【図１】この発明に係るおむつの第１実施形態を示す部分破断斜視図。
【図２】同上の展開平面図。
【図３】同上の分解斜視図。
【図４】（ａ）は前方部材の一部拡大図、（ｂ）は後方部材の一部拡大図。
【図５】この発明に係るおむつの第２実施形態を示す部分破断斜視図。
【符号の説明】
【００４４】
１０    使い捨ておむつ
１１    シャーシ
１２    吸液性構造体
１２ｃ  吸液性構造体の側縁
１３    前ウエスト域
１４    後ウエスト域
１５    股下域
１６    ウエスト開口
１６ａ  ウエスト開口縁
１７    レッグ開口
１８    上側弾性域
１９    下側弾性域
２０    前後ウエスト域の両側部
２４    前ウエスト域の側縁部
２５    後ウエスト域の側縁部
３０    非伸縮域
３１    第１ウエスト弾性部材
３１ａ  第１ウエスト弾性部材の最も吸液性コアの後端縁寄りの部位
３２    第２ウエスト弾性部材
３３    レッグ弾性部材
３８    第２ウエスト弾性部材の内端部
４４    吸液性コア
４４ｃ  吸液性コアの側縁部
７０    （固定用）シート
Ｄ１    後ウエスト域における第２ウエスト弾性部材の内端部と吸液性コアの側縁との間の横方向における寸法
Ｌ１    前ウエスト域における第２ウエスト弾性部材の内端部と吸液性コアの側縁との間の横方向における寸法
Ｌ２    吸液性コアの横方向の寸法
Ｗ      吸液性構造体の横方向の寸法
Ｘ      縦方向
Ｙ      横方向
【図１】
0005227002.tif 000002
【図２】
0005227002.tif 000003
【図３】
0005227002.tif 000004
【図４】
0005227002.tif 000005
【図５】
0005227002.tif 000006